(57)【要約】      （修正有）【課題】自動車、オートバイ、若しくは自転車の運転、ベビーカーの操作、又はキャリーカート、キャリーバッグ若しくはスーツケースの移動などの様々な場面において容易に利用することができ、且つ一般人が低価格で気軽に購入又は利用することができる、健康増進機能付きグリップ体及びグリップ体カバーを提供する。【解決手段】グリップ体は、１つ又は複数個の粒状の永久磁石２の一部又は全部が、車両のハンドル１若しくはベビーカーのハンドル、又はキャリーカート、キャリーバッグ若しくはスーツケースの取っ手などのユーザーが手で握るグリップ体の表面又はその近傍部分に備えられている。又、グリップ体カバーは、同様の永久磁石がハンドル若しくは取っ手のカバーの表面又はその近傍部分に備えられている。【選択図】図１
0003225314.tif 000002
【実用新案登録請求の範囲】
【請求項１】
１つ又は複数個の粒状の永久磁石が、車両のハンドル若しくはベビーカーのハンドル、又はショッピングカート、キャリーカート、キャリーバッグ若しくはスーツケースの取っ手などのユーザーが手で握るグリップ体の表面に取り付けられて成ることを特徴とする健康増進機能付きグリップ体。
【請求項２】
１つ又は複数個の粒状の永久磁石の一部又は全部が、車両のハンドル若しくはベビーカーのハンドル、又はショッピングカート、キャリーカート、キャリーバッグ若しくはスーツケースの取っ手などのユーザーが手で握るグリップ体の表面近傍部分に埋設若しくは内蔵されて成ることを特徴とする健康増進機能付きグリップ体。
【請求項３】
車両のハンドル若しくはベビーカーのハンドル、又はショッピングカート、キャリーカート、キャリーバッグ若しくはスーツケースの取っ手などのユーザーが手で握るグリップ体に対しその全部又は一部を覆うように取り付けられるグリップ体カバーであって、１つ又は複数個の粒状の永久磁石が前記カバーの表面に取り付けられ、又は前記永久磁石の全部又は一部が前記カバーの表面近傍部分に埋設若しくは内蔵されて成ることを特徴とする健康増進機能付きグリップ体カバー。
【考案の詳細な説明】
【技術分野】
【０００１】
本考案は、自動車、オートバイ若しくは自転車の運転、ベビーカーの操作、ショッピングカート、キャリーカート、キャリーバッグ若しくはスーツケースの移動などの動作を行っているユーザーが、その動作を行うだけで自動的に血行及び代謝促進等の健康増進を図ることができるようにした、健康増進機能付きグリップ体及びグリップ体カバーに関する。
【背景技術】
【０００２】
従来より、タクシードライバーなどのための四輪自動車運転席用「背もたれ」として、加温機能、指圧機能などの健康増進機能を備えた背もたれが、販売、使用されている（例えば特許文献１参照）。
【先行技術文献】
【特許文献】
【０００３】
【特許文献１】特開平９−８４６６２号公報
【考案の概要】
【考案が解決しようとする課題】
【０００４】
しかしながら、特許文献１が提案しているような従来の運転席用背もたれは、四輪自動車ではない、オートバイ、自転車、ベビーカー、ショッピングカート、キャリーカート、キャリーバッグ若しくはスーツケースの操作などにおいては全く利用できないものであるし、また、背もたれはサイズが大きく且つ高価なものであるため車両の運転を業務としない一般消費者にとっては容易に購入、利用することが難しいものであった。
【０００５】
本考案はこのような従来技術の問題点に着目して考案されたものであって、自動車、オートバイ、若しくは自転車の運転、ベビーカーの操作、又はショッピングカート、キャリーカート、キャリーバッグ若しくはスーツケースの移動などの様々な場面において容易に利用することができ、且つ一般人が低価格で気軽に購入又は利用することができる、健康増進機能付きグリップ体及びグリップ体カバーを提供することを目的とする。
【課題を解決するための手段】
【０００６】
このような課題を解決するための本考案による健康増進機能付きグリップ体は、１つ又は複数個の粒状の永久磁石が、車両（自動車、オートバイ、若しくは自転車などを含む）のハンドル若しくはベビーカーのハンドル、又はショッピングカート、キャリーカート、キャリーバッグ若しくはスーツケースの取っ手などのユーザーが手で握るグリップ体の表面に取り付けられて成ることを特徴とするものである。
【０００７】
また、本考案による健康増進機能付きグリップ体は、１つ又は複数個の粒状の永久磁石の全部又は一部が、車両（自動車、オートバイ、若しくは自転車などを含む）のハンドル若しくはベビーカーのハンドル、又はショッピングカート、キャリーカート、キャリーバッグ若しくはスーツケースの取っ手などのユーザーが手で握るグリップ体の表面近傍部分に、埋設若しくは内蔵されて成ることを特徴とするものである。
【０００８】
さらに、本考案による健康増進機能付きグリップ体カバーは、車両（自動車、オートバイ、若しくは自転車などを含む）のハンドル若しくはベビーカーのハンドル、又はショッピングカート、キャリーカート、キャリーバッグ若しくはスーツケースの取っ手などのユーザーが手で握るグリップ体に対しその全部又は一部を覆うように取り付けられるグリップ体カバーであって、１つ又は複数個の粒状の永久磁石が前記カバーの表面に取り付けられ、又は前記永久磁石の全部又は一部が前記カバーの表面近傍部分に埋設若しくは内蔵されて成ることを特徴とするものである。
【考案の効果】
【０００９】
本考案による健康増進機能付きグリップ体によれば、１つ又は複数個の粒状の永久磁石が、車両のハンドル若しくはベビーカーのハンドル、又はショッピングカート、キャリーカート、キャリーバッグ若しくはスーツケースの取っ手などのユーザーが手で握るグリップ体の表面に取り付けられているので、ユーザーは、自動車、オートバイ、若しくは自転車の運転、ベビーカーの操作、又はショッピングカート、キャリーカート、キャリーバッグ若しくはスーツケースの移動などを行うとき、それらの活動を行う過程で、それらの活動を行うだけで、同時に、自らの血行や代謝の促進などの健康増進を図ることができる。
【００１０】
また、本考案による健康増進機能付きグリップ体によれば、１つ又は複数個の粒状の永久磁石の各粒状の全部又は一部が、車両のハンドル若しくはベビーカーのハンドル、又はショッピングカート、キャリーカート、キャリーバッグ若しくはスーツケースの取っ手などのユーザーが手で握るグリップ体の表面の近傍部分に埋設又は内蔵されているので、ユーザーは、自動車、オートバイ、若しくは自転車の運転、ベビーカーの操作、又はショッピングカート、キャリーカート、キャリーバッグ若しくはスーツケースの移動などを行うとき、それらの活動を行う過程で、それらの活動を行うだけで、同時に、自らの血行や代謝の促進などの健康増進を図ることができる。
【００１１】
また、本考案による健康増進機能付きグリップ体カバーは、車両のハンドル若しくはベビーカーのハンドル、又はショッピングカート、キャリーカート、キャリーバッグ若しくはスーツケースの取っ手などのユーザーが手で握るグリップ体に対しその全部又は一部を覆うように取り付けられるグリップ体カバーであって、１つ又は複数個の粒状の永久磁石が前記カバーの表面に取り付けられ又は前記永久磁石の各粒状の全部又は一部が前記カバーの表面近傍部分に埋設若しくは内蔵されているので、ユーザーは、自動車、オートバイ、若しくは自転車の運転、ベビーカーの操作、又はショッピングカート、キャリーカート、キャリーバッグ若しくはスーツケースの移動などを行うとき、それらの活動を行う過程で、それらの活動を行うだけで、同時に、自らの血行や代謝の促進などの健康増進を図ることができる。
【図面の簡単な説明】
【００１２】
【図１】（ａ）は本考案の実施形態１による健康増進機能付きの自動車のハンドル（グリップ体）を示す正面図、（ｂ）はその一部拡大側断面図である。
【図２】（ａ）から（ｄ）までは図１に示した本実施形態１の変更例を示す図である。
【図３】本実施形態２による健康増進機能付きのハンドル用カバー（グリップ体カバー）を示す斜視図である。
【図４】本実施形態３に係る健康増進機能付きのショッピングカート用取っ手（グリップ体）又はそのカバーを説明するための斜視図である。
【図５】本実施形態４に係る健康増進機能付きのキャリーカート用取っ手（グリップ体）又はそのカバーを説明するための斜視図である。
【図６】本実施形態５に係る健康増進機能付きのスーツケース用取っ手（グリップ体）又はそのカバーを説明するための斜視図である。
【考案を実施するための形態】
【００１３】
以下、本考案を実施形態について説明する。
〔実施形態１〕
図１（ａ）は本考案の実施形態１による健康増進機能付きのハンドル（グリップ体）を示す正面図、（ｂ）はその一部拡大側断面図である。図１において、１は自動車に取り付けられたハンドル、２はこのハンドル１の表面に設けられた粒状（図１の例では、図１（ｂ）に示すような縦方向断面が半楕円形状である略円盤状）の永久磁石である。この各永久磁石２の各粒のサイズとしては、例えば、平面側の直径は１〜１０ｍｍ（より望ましくは直径２〜６ｍｍ）、側面側の高さは１〜８ｍｍ（より望ましくは直径１〜４ｍｍ）程度である。
【００１４】
本実施形態１では、図１（ａ）に示すように、前記ハンドル１の図示右上領域１ａ、左上領域１ｂ、及び下側領域１ｃにそれぞれ、数個（図１の例では５個）の永久磁石２が並ぶように配置されている。
【００１５】
また、本実施形態１では、図１（ｂ）に示すように、前記粒状（縦方向断面が半楕円形状である略円盤状）の各永久磁石２は、前記ハンドル１の表面に例えば接着剤等の様々な公知の手段により付着・固着されている。
【００１６】
なお、本実施形態１においては、前記各永久磁石２の形状・大きさ、及び前記各永久磁石２の前記ハンドル１への取り付け・固着の態様については、様々な変更が可能である。
【００１７】
図２は、このような本実施形態１の変形例の一部、例えば前記各永久磁石２の形状・大きさ、及び前記各永久磁石２の前記ハンドル１への取り付け・固着の態様に関する様々な変形例の一部を示す図である。
【００１８】
すなわち、図１に示す例では「縦方向断面が半楕円形状である略円盤状の各永久磁石２」がハンドル１の表面に接着剤等で付着・固着されていた（図１（ｂ））のに対し、図２（ａ）に示す変形例では、「縦方向断面が楕円形状である略円盤状の各永久磁石２」の図示下側半分だけが前記ハンドル１の表面近傍部分に埋設された状態で、前記ハンドル１に付着・固着されている（この場合は、図示のとおり、前記各永久磁石２の図示上側半分が記ハンドル１の表面から突出している）。
【００１９】
また、図１に示す例では「縦方向断面が半楕円形状である略円盤状の各永久磁石２」がハンドル１の表面に接着剤等で付着・固着されていた（図１（ｂ））のに対し、図２（ｂ）に示す変形例では、「縦方向断面が半楕円形状である略円盤状の各永久磁石２」の全体が、前記ハンドル１の表面近傍部分に埋設されることにより、前記ハンドル１に付着・固着されている（この場合は、図示のとおり、前記各永久磁石２が前記ハンドル１の表面から突出することはない）。
【００２０】
また、図１に示す例では「縦方向断面が半楕円形状である略円盤状の各永久磁石２」がハンドル１の表面に接着剤等で付着・固着されていた（図１（ｂ））のに対し、図２（ｃ）に示す変形例では、「縦方向断面が長方形状である直方体形状の各永久磁石２」の全体が、前記ハンドル１の表面近傍部分に埋設されることにより、前記ハンドル１に付着・固着されている（この場合は、図示のとおり、前記各永久磁石２が前記ハンドル１の表面から突出することはない）。
【００２１】
また、図１に示す例では「縦方向断面が半楕円形状である略円盤状の各永久磁石２」がハンドル１の表面に接着剤等で付着・固着されていた（図１（ｂ））のに対し、図２（ｄ）に示す変形例では、「縦方向断面が全体として長方形状だが上端部が凸状の略ドーム状に湾曲している形状の各永久磁石２」の図示下側部分だけが、前記ハンドル１の表面近傍部分に埋設されることにより、前記ハンドル１に付着・固着されている（この場合は、図示のとおり、前記各永久磁石２の前記凸状の略ドーム状に湾曲した上側半分が記ハンドル１の表面から突出している）。
【００２２】
以上のように、本実施形態１によれば、複数個（例えば５個）の粒状の永久磁石２が、前記ハンドル１（ユーザーが手で握るグリップ体）の表面又はその近傍部分に対し付着（固着）又は埋設（内蔵）等の形態で取り付けられているので、ユーザーは、自動車の運転を行うとき、その運転に係る活動を行う過程で、その活動を行うだけで、同時に、自らの血行や代謝の促進などの健康増進を図ることができるようになる。
【００２３】
〔実施形態２〕
次に、図３は本考案の実施形態２による健康増進機能付きハンドル用カバー（グリップ体カバー）を示す斜視図である。図３において、１１は自動車のハンドル（図１の符号１参照）の表面側（一部又は全部）を覆うハンドル用カバー、２はこのカバー１１の表面に固着等の形態で備えられた粒状（前記実施形態１と同様の形状及び大きさのものが使用できる）の永久磁石である。
【００２４】
本実施形態２では、図３に示すように、前記カバー１１の図示右上領域１１ａ、左上領域１１ｂ、及び下側領域１１ｃにそれぞれ、数個（図３の例では５個）の永久磁石２が並ぶように配置されている。
【００２５】
なお、図３では図示を省略しているが、本実施形態２においても、前記各永久磁石２の形状・大きさ、及びその前記カバー１１への取り付け形態は様々な変形例があり得る。
【００２６】
すなわち、本実施形態２においても、前記実施形態１について前述したところと同様に、（１）「縦方向断面が楕円形状である略円盤状の各永久磁石２」の図示下側半分だけが前記ハンドル用カバー１１の表面近傍部分に埋設されている形態（図２（ａ）と同じ状態）、（２）「縦方向断面が半楕円形状である略円盤状の各永久磁石２」の全体が前記ハンドル用カバー１１の表面近傍部分に埋設されている形態（図２（ｂ）と同じ状態）、（３）「縦方向断面が長方形状である直方体形状の各永久磁石２」の全体が前記ハンドル用カバー１１の表面近傍部分に埋設されている形態（図２（ｃ）と同じ状態）、並びに（４）「縦方向断面が全体として長方形状だが上端部が凸状の略ドーム状に湾曲している形状の各永久磁石２」の図示下側部分だけが前記ハンドル用カバー１１の表面近傍部分に埋設されている形態（図２（ｄ）と同じ状態）などを採用することが可能である。
【００２７】
以上のように、本実施形態２によれば、複数個（例えば５個）の粒状の永久磁石２が、前記ハンドル用カバー１１（ユーザーが手で握るグリップ体）の表面又はその近傍部分に対し付着（固着）又は埋設（内蔵）等の形態で取り付けられているので、前記実施形態１と同様に、ユーザーは、自動車の運転を行うとき、その運転に係る活動を行う過程で、その活動を行うだけで、同時に、自らの血行や代謝の促進などの健康増進を図ることができるようになる。
【００２８】
〔実施形態３〕
次に、図４は本考案の実施形態３に係るショッピングカートの取っ手２１（グリップ体）又はそのカバーを説明するための斜視図である。前記実施形態１及び２においては、それぞれ、前記各永久磁石２を自動車のハンドル１又は同ハンドル用カバー１１に備えた場合であるが、本考案においては、前記各永久磁石２を、図１、図２及び図３に示すのと同様の形態で、ショッピングカートの取っ手２１（グリップ体）又はそのカバーに設けるようにすることも可能である。このように、ショッピングカートの取っ手２１（グリップ体）又はそのカバーに前記各永久磁石２を設けるようにしたときは、ユーザーは、前記実施形態１，２と同様に、図４に示すようなショッピングカートを移動させるとき、その移動に係る活動を行う過程で、その活動を行うだけで、同時に、自らの血行や代謝の促進などの健康増進を図ることができるようになる。
【００２９】
〔実施形態４〕
次に、図５は、本実施形態４に係るキャリーカートの取っ手２２（グリップ体）又はそのカバーを説明するための斜視図である。前記実施形態１及び２においては、それぞれ、前記各永久磁石２を自動車のハンドル１又は同ハンドル用カバー１１に備えた場合であるが、本考案においては、前記各永久磁石２を、図１、図２及び図３に示すのと同様の形態で、キャリーカートの取っ手２２（グリップ体）又はそのカバーに設けるようにすることも可能である。このように、キャリーカートの取っ手２２（グリップ体）又はそのカバーに前記各永久磁石２を設けるようにしたときは、ユーザーは、前記実施形態１，２と同様に、図５に示すようなキャリーカートを移動させるとき、その移動に係る活動を行う過程で、その活動を行うだけで、同時に、自らの血行や代謝の促進などの健康増進を図ることができるようになる。
【００３０】
〔実施形態５〕
次に、図６は、本実施形態４に係るスーツケースの取っ手２３（グリップ体）又はそのカバーを説明するための斜視図である。前記実施形態１及び２においては、それぞれ、前記各永久磁石２を自動車のハンドル１又は同ハンドル用カバー１１に備えた場合であるが、本考案においては、前記各永久磁石２を、図１、図２及び図３に示すのと同様の形態で、スーツケースの取っ手２３（グリップ体）又はそのカバーに設けるようにすることも可能である。このように、スーツケースの取っ手２３（グリップ体）又はそのカバーに前記各永久磁石２を設けるようにしたときは、ユーザーは、前記実施形態１，２と同様に、図６に示すようなスーツケースを移動させるとき、その移動に係る活動を行う過程で、その活動を行うだけで、同時に、自らの血行や代謝の促進などの健康増進を図ることができるようになる。
【００３１】
以上、本考案の各実施形態について説明したが、本考案は前記の各実施形態として述べたものに限定されるものではなく、様々な修正及び変更が可能である。例えば、前記各実施形態１，２では、前記複数個の各永久磁石２は一列に並ぶように配置されているが、これらはいずれも例示であり、本考案では、前記複数個の各永久磁石２を、例えば２列や３列などの複数列に並ぶように配置してもよいし、また例えばジグザグ状に並ぶように配置してもよいことなどは勿論である。
【符号の説明】
【００３２】
１  ハンドル
１ａ，１ｂ，１ｃ  ハンドルの各領域
２，３，４，５，６  永久磁石
１１  ハンドル用カバー
１１ａ，１１ｂ，１１ｃ  ハンドル用カバーの各領域
２１  ショッピングカートの取っ手
２２  キャリーカートの取っ手
２３  スーツケースの取っ手
【図１】
0003225314.tif 000003
【図２】
0003225314.tif 000004
【図３】
0003225314.tif 000005
【図４】
0003225314.tif 000006
【図５】
0003225314.tif 000007
【図６】
0003225314.tif 000008